(57)【要約】【課題】排紙収容部に排出された用紙を確認するとき、紙揃え部材や原稿載置台が邪魔になることなく、排紙収容部から容易に用紙の取り出しを行えるようにする。【解決手段】原稿載置台１と、原稿載置台と対向配置され用紙５が搬送方向に沿って上流側から下流側に向けて排出されて積載される排紙収容部３と、排紙収容部に排紙された用紙の搬送方向下流側の端部５ａに接触可能な紙揃え部材４と、原稿載置台の全長を長短する方向Ａにスライド可能に原稿載置台に支持された延長部２を有し、紙揃え部材を、排紙収容部側に突出して同排紙収容部側に排紙された用紙の端部と接触する第１の位置と、排紙収容部側から離脱する第２の位置を占めるように延長部２に移動自在に設けた。【選択図】図２
2013014427.tif 000002
【特許請求の範囲】
【請求項１】
原稿載置台と、
前記原稿載置台と対向配置され、用紙が搬送方向に沿って上流側から下流側に向けて排出されて積載される排紙収容部と、
前記排紙収容部に排紙された用紙の搬送方向下流側の端部に接触可能な紙揃え部材と、
前記原稿載置台の全長を長短する方向にスライド可能に前記原稿載置台に設けられた延長部を有し、
前記紙揃え部材は、前記排紙収容部側に突出して同排紙収容部側に排紙された用紙の搬送方向下流側の端部と接触する第１の位置と、前記排紙収容部側から離脱する第２の位置を占めるように前記延長部に移動自在に設けられていることを特徴とする自動用紙送り装置。
【請求項２】
前記原稿載置台は、前記排紙収容部より上部に配置されていることを特徴とする請求項１記載の自動用紙送り装置。
【請求項３】
前記紙揃え部材は、前記延長部に、同延長部の下部から収容可能に支持されていることを特徴とする請求項１または２記載の自動用紙送り装置。
【請求項４】
前記紙揃え部材は、前記延長部に、同延長部の上部から収容可能で支持されていることを特徴とする請求項１または２記載の自動用紙送り装置。
【請求項５】
前記延長部は、前記原稿載置台に収納された収納位置と、前記原稿載置台から突出した延長位置を占めるように、同原稿載置台にスライド自在に設けられて、
前記紙揃え部材は、前記延長部が延長位置を占めたときには前記第１の位置を占め、前記延長部が収納位置を占めたときには前記第２の位置を占めるように前記延長部に支持されていることを特徴とする請求項１ないし４の何れか１項に記載の自動用紙送り装置。
【請求項６】
前記紙揃え部材は、前記原稿載置台の全長を延ばす方向への前記延長部の長さよりも、前記全長を延ばす方向への長さが短く形成されていることを特徴とする請求項１ないし５の何れか１項に記載の自動用紙送り装置。
【請求項７】
前記紙揃え部材は、前記原稿載置台の全長を延ばす方向への前記延長部の長さよりも、前記全長を延ばす方向への長さが長く形成されていることを特徴とする請求項１ないし５の何れか１項に記載の自動用紙送り装置。
【請求項８】
請求項１ないし７の何れか１項に記載の自動用紙送り装置を備えた画像読取装置。
【発明の詳細な説明】
【技術分野】
【０００１】
本発明は、読み取った用紙が順次排出されて積載される排紙収容部を備えた自動用紙送り装置及び画像読取装置に関する。
【背景技術】
【０００２】
連続的に原稿となる用紙を送る自動用紙送り装置（ＡＤＦ）を搭載した画像読取装置では、画像読取が終了した用紙が排出されて排紙収容部に順次積載されるが、排紙収容部に排紙された用紙がある状態で、排紙搬送部から用紙を排出されると、排紙搬送部から排出されてくる用紙が排紙収容部にある用紙と干渉し、排紙収容部にある用紙が押し出され、排紙収容部から落ちることがある。  
そこで、連続して排出されてくる用紙を積載する排紙収容部を備えた画像読取装置では、積載された用紙束の乱れを防止するために、用紙束を揃える用紙揃え（整合）部材が設けたものがある。例えば特許文献１では、搬送方向に沿って上流側から下流側に向けて排出される用紙が順次積載される排紙収容部と、この排紙収容部に積載された用紙の搬送方向下流側の端部位置からさらに搬送方向下流側に離れた位置であって、用紙の排出時に用紙の搬送方向下流側の端部が衝突可能な位置に、当該排紙収容部の上方に配置した原稿載置台から垂下される突き当て部材を用紙揃え部材として備えた排紙積載装置が開示されている。
【発明の概要】
【発明が解決しようとする課題】
【０００３】
従来の画像読取装置では、用紙サイズが所定サイズより小サイズの時、特に自動用紙送り装置（ＡＤＦ）を備えたものでは、排紙収容部に排出された原稿を確認するとき、スペースが狭く用紙揃え部材が邪魔になり、容易に用紙の確認や取り出しをし難いという問題があった。これは原稿を載せる原稿載置台と排出される用紙が順次積載される排紙収容部とが対向配置されていて、両者の間のスペースが一定であることや、原稿載置台の大きさが最大用紙サイズに設定されているためである。  
特許文献１に記載の構成では、用紙の排出時に用紙の搬送方向下流側の端部が衝突可能な位置に、原稿載置台から垂下させて紙揃え部材を配置しているが、この紙揃え部材の取付け位置や原稿載置台の大きさを変更できないため、排紙収容部に排出された原稿を確認するとき、紙揃え部材が邪魔になってしまう。特に、紙揃え部材に端部が当接可能なサイズの用紙よりも小サイズの用紙の場合、この傾向が顕著になる。  
本発明は、排紙収容部に排出された用紙を確認するとき、紙揃え部材や原稿載置台が邪魔になることなく、排紙収容部から容易に用紙の取り出しを行える画像読取装置を提供することを、その目的とする。
【課題を解決するための手段】
【０００４】
本発明は、原稿載置台と、原稿載置台と対向配置され、用紙が搬送方向に沿って上流側から下流側に向けて排出されて積載される排紙収容部と、排紙収容部に排紙された用紙の搬送方向下流側の端部に接触可能な紙揃え部材と、原稿載置台の全長を長短する方向にスライド可能に原稿載置台に支持された延長部を有し、紙揃え部材を、排紙収容部側に突出して同排紙収容部側に排紙された用紙の搬送方向下流側の端部と接触する第１の位置と、排紙収容部側から離脱する第２の位置を占めるように延長部に移動自在に設けた。
【発明の効果】
【０００５】
本発明によれば、用紙が搬送方向に沿って上流側から下流側に向けて排出されて積載される排紙収容部と対向配置された原稿載置台に、原稿載置台の全長を長短する方向にスライド可能に延長部を設け、排紙収容部に排紙された用紙の搬送方向下流側の端部に接触可能な紙揃え部材を、排紙収容部側に突出して同排紙収容部側に排紙された用紙の搬送方向下流側の端部と接触する第１の位置と、排紙収容部側から離脱する第２の位置を占めるように延長部に移動自在に設けたので、排紙収容部に排出された用紙の端部が紙揃え部材に届くサイズの場合には、延長部を延ばす方向にスライド移動することで紙揃え部材が排紙収容部側に突出して用紙の端部と接触し、排紙収容部に排出された用紙の端部が紙揃え部材に届かないサイズの場合には、紙揃え部材を排紙収容部側から離脱する第２の位置へと移動することができるので、排紙収容部に排出された用紙を確認するとき、スペースが狭く紙揃え部材や原稿載置台が邪魔になることがなく、排紙収容部から容易に用紙の取り出しを行える。
【図面の簡単な説明】
【０００６】
【図１】本発明の一実施形態である画像読取装置と自動用紙送り装置の概略構成を示す全体図。
【図２】本発明の主要部となる延長部と紙揃え部材の第１の実施形態を示す図であり、（ａ）は紙揃え部材を有する延長部が原稿載置台に収納された状態を示す拡大斜視図、（ｂ）は延長部に設けた紙揃え部材が用紙と接触する第１の位置を占めた状態を示す拡大斜視図。
【図３】第１の実施形態における延長部と紙揃え部材の構成を示す拡大斜視図。
【図４】本発明の主要部となる延長部と紙揃え部材の第２の実施形態を示す図であり、（ａ）は延長部と紙揃え部材が原稿載置台に収納された状態を示す拡大斜視図、（ｂ）は延長部を延長方向にスライドしたときの状態を示す拡大斜視図。
【図５】第２の実施形態における延長部と紙揃え部材の構成を示す拡大斜視図。
【図６】図４に示す延長方向へのスライド状態で、延長部に設けた紙揃え部材が用紙と接触する第１の位置を占めた状態を示す拡大斜視図。
【図７】本発明の主要部となる延長部と紙揃え部材の第３の実施形態を示す図であり、（ａ）は紙揃え部材を有する延長部が原稿載置台に収納された状態を示す拡大斜視図、（ｂ）は延長部に設けた紙揃え部材が用紙と接触する第１の位置を占めた状態を示す拡大斜視図。
【図８】第３の実施形態における延長部と紙揃え部材の構成を示す拡大斜視図。
【図９】第３の実施形態に係る延長部と紙揃え部材の変位状態を示す図であり、（ａ）は延長部と紙揃え部材が原稿載置台に収納されている状態を拡大して示す側面図、（ｂ）は延長部の延長方向へのスライド初期の状態を拡大して示す側面図、（ｃ）は延長部の延長方向へのスライドにより紙揃え部材が当接位置を占めた状態を拡大して示す側面図。
【発明を実施するための形態】
【０００７】
以下、本発明に係る画像読取装置の実施形態について図面を用いて説明する。最初に画像読取装置の全体構成を説明し、その後に特徴部分の構成と動作について説明する。  
図１に示す画像読取装置１００は、装置本体１０１の上部に、連続的に原稿となる用紙５を送り出すことが可能な自動用紙搬送装置５０を備え、装置本体１０１の内部に原稿読取手段１０２を備えている。原稿読取手段１０２は、用紙５を一枚ずつ載置するコンタクトガラス１０３と、コンタクトガラス１０３上にセットされた用紙５の画像を読み取る走査光学系１０４を備えていて、走査光学系１０４を移動させることで用紙５の画像を読み取っている。
【０００８】
コンタクトガラス１０３の上方にセットされる自動用紙搬送装置５０は、用紙５を積載する原稿載置台としての原稿トレイ１と、原稿トレイ１と対向配置され、用紙５が矢印ａで示す搬送方向に沿って上流側から下流側に向けて排出されて積載される排紙収容部３と、排紙収容部３に排紙された用紙５の搬送方向下流側の端部５ａに接触可能な紙揃え部材となるエンドフェンス４を備えている。
【０００９】
原稿トレイ１には、原稿面が上向きになるように複数枚の用紙５が載置可能にとされている。原稿トレイ１には、テーブル面１ａ上にセットされる用紙５の長さを検出する原稿長さ検出センサ５１、５２が配置されている。
【００１０】
原稿トレイ１から排紙収容部３の間は、原稿トレイ１側を起端５４ａとし、排紙収容部３を終端５４ｂとする略Ｕ字形状の搬送路５４が形成されている。この略Ｕ字形状の搬送路５４の起端５４ａには、テーブル面１ａに積載された最上位の用紙５を送り出す呼出しコロ５５と、呼出しコロ５５の下流側に設けられた給紙ベルト５６およびリバースローラ５７からなる分離・給紙手段を備えている。分離・給紙手段によって搬送された原稿５は、搬送路５４に臨むように配置されている複数の搬送ローラ対５８〜６４で構成された排紙搬送部によって排紙収容部３に順次搬送されて積載されるが、搬送途中において、分離・給紙手段と排紙収容部３の間で搬送路５４に臨むように配置された原稿読取部６５，６６によって原稿画像が読み取られる。つまり、排紙収容部３には、画像読取部６５，６６による読取りが終了した用紙５が順次排紙されて積載されるため、排紙された用紙５が排紙収容部３にある状態で、排紙搬送部から次の用紙５が排出されると、排紙搬送部から排出された用紙５が排紙収容部３にある用紙５に当たることで干渉し、排紙収容部３にある用紙５が押し出され、排紙収容部３から落ちることが懸念される。
【００１１】
そこで、従来から排紙収容部３に排紙された用紙５の端部５ａに接触して用紙５の落下と整列をするためのエンドフェンス４を備えているが、用紙５のサイズによってはエンドフェンス４があるがために、排紙収容部３からの取出性が損なわれる場合や、目視性の面では改善の余地がある。すなわち、自動用紙搬送装置５０のように装置本体１０１の上部に配置される場合、装置全体の高さを抑えることが要求されることが多い。そのため、原稿トレイ１と排紙収容部３との間に形成される空間６の高さが制限されていまい、排紙収容部３に排紙された用紙５の取出性や目視による確認が難しくなる。また、原稿トレイ１の大きさ（長さ）が、当該装置で使用する最長サイズの用紙５の全長を載せられる大きさに設定されていると、排紙収容部３の上方に配置された原稿トレイ１の大きさにより、用紙５の取出性や目視による確認が難しくなる。
【００１２】
そこで、原稿トレイ１のテーブル面１ａの全長を長短する方向である矢印Ａで示す長短方向にスライド可能な延長部２を原稿トレイ１に設けるとともに、この延長部２にエンドフェンス４を装着し、テーブル面１ａの大きさとエンドフェンス４の位置を変更できるようにした。
（第１の実施形態）
本形態では、図２（ａ）、図２（ｂ）に示すように、原稿トレイ１における用紙搬送方向の上流側に位置する端部１Ａ側に、延長部２を配置するとともに、延長部２を端部１Ａからテーブル面１ａの全長を長短方向Ａに進退可能に支持している。延長部２は、長短方向Ａと直交する原稿トレイ１の幅方向Ｂの中央部１ｂに配置されている。具体的には、原稿トレイ１の中央部１ｂには、延長部２を収納するための窪み部１１が原稿トレイ１の端部１Ａまで達するように形成されている。窪み部１１の幅方向Ｂに位置し、互いに対向する側面１１Ａ、１１Ｂには、長短方向Ａに延びる長穴１２Ａ、１２Ｂがそれぞれ形成されている。窪み部１１は、原稿トレイ１を矢印Ｃで示す上下方向には貫通せず、底部１１Ｃを有するように形成されている。
【００１３】
延長部２の幅方向Ｂに位置する側面２Ａ、２Ｂには、長穴１２Ａ、１２Ｂに挿入される軸１３Ａ、１３Ｂが突出していて、この軸１３Ａ、１３Ｂを長穴１２Ａ、１２Ｂに挿入することで、延長部２が長短方向Ａにスライド自在とされている。延長部２には、図３に示すように、その底面２Ｃ側に開口する空間１４が形成されている。空間１４の容積は、エンドフェンス４を収納可能な大きさとされている。また、空間１４は延長部２の上面２Ｄまでは達しておらず、上面２Ｄをテーブル面１ａと延長して面として使用できように構成している。すなわち、延長部２は図２（ａ）に示す原稿トレイ１に収納された収納位置と、図２（ｂ）に示す原稿トレイ１から突出した延長位置を占めるように、原稿トレイ１にスライド自在に設けられている。
【００１４】
本形態において、原稿トレイ１の全長を延ばす方向となる引出方向Ａ１への延長部２の長さＬは、延長部２を最大長、原稿トレイ１から延ばしたときに、装置で使用する所定サイズの用紙５が載せられる長さとしている。本形態において所定サイズとはＪＩＳ規格Ａ３サイズを縦長でセットしたときのサイズを想定している。これに合わせて窪み部１１の長短方向Ａへの長さＬ１は、延長部２の長さＬとほぼ同一寸法とされていて、延長部２を窪み部１１内に収納された第２の位置を占めたときに、端部１Ａから突出しないように構成されている。
【００１５】
エンドフェンス４は板状部材であって、幅方向Ｂの長さは延長部２の幅方向Ｂへの長さよりも狭く、長短方向Ａへの長さＬ２は延長部２の長さＬよりも短く形成されている。つまり、エンドフェンス４の大きさは、空間１４に収納可能な大きさとされている。エンドフェンス４の一端４Ａ側は、引出方向Ａ１側に位置する一端２Ｅに、ピン１５で回転自在に支持されていて、延長部２が原稿トレイ１の窪み部１１内に収納された状態では延長部２の空間１４内に位置し、延長部２を窪み部１１から引出方向Ａ１に移動したときには空間１４から突出して、一端４Ａ側と反対側に位置する他端４Ｂ側が排紙収容部３側に位置するように構成されている。
【００１６】
すなわち、エンドフェンス４は、排紙収容部３側に突出して同排紙収容部３に排紙された用紙５の端部５ａと接触する第１の位置と、排紙収容部３側から離脱する第２の位置を占めるように延長部２に移動自在に設けられていて、延長部２に、同延長部２の下部から収容可能に構成されている。引出方向Ａ１とは、読取前の用紙５を原稿トレイ１から送り出す方向と反対方向である。つまり、エンドフェンス４は、延長部２が図２（ｂ）に示す延長位置を占めたときには第１の位置を占め、延長部２が図２（ａ）に示す収納位置を占めたときには第２の位置を占めるように延長部２に支持されている。
【００１７】
このような構成の第１の実施形態によると、原稿トレイ１のテーブル面１ａに載せる用紙５のサイズが所定サイズの場合には、延長部２を引出方向Ａ１にスライドする。すると、原稿トレイ１のテーブル面１ａの一部が延長部２の上面２Ｄによって引出方向Ａ１に延長されるので、所定サイズの用紙５を原稿トレイ１に積載してセットすることができる。また、延長部２を引出方向Ａ１にスライドすると、延長部２の長さＬよりも長さＬ２が短く設定されたエンドフェンス４の他端４Ｂが原稿トレイ１の端部１Ａを通過すると、エンドフェンス４がピン１５を中心にして排紙収容部３の上部に引き出され、他端４Ｂが下方に来るように自重で揺動して排紙収容部３側に位置する第１の位置を占める。このため所定サイズの用紙５が排紙収容部３に順次排紙されて、排紙収納部３の用紙５が、排紙される次の用紙５によって押されて引出方向Ａ１に移動してもエンドフェンス４に接触して、その移動が妨げられる。よって、用紙５が排紙収容部３から落下することや落下による不揃えを防止することができる。
【００１８】
一方、原稿トレイ１に載せる用紙５のサイズが所定サイズより小さい場合、例えば所定サイズ（Ａ３）の半分のサイズのＪＩＳ規格Ａ４を横長にして原稿トレイ１のテーブル面１ａに載せる場合には、延長部２を引出方向Ａ１にスライドしない。あるいは、延長部２が図２（ｂ）に示す第１の位置を占めている場合には、エンドフェンス４をもって時計回りに揺動して延長部２内に納める。そして、延長部２を図２（ａ）に示すように原稿トレイ１側に押し戻すことで、原稿トレイ１内に収納されて第２の位置を占めることになる。
【００１９】
このため、原稿トレイ１のテーブル面１ａが延長部２によって延びることはなく、テーブル面１ａの大きさはＡ４横長サイズ分の大きさで済むので、原稿トレイ１の大きさを抑えられ、排紙収容部３に順次排紙されて積載される用紙５の状態を目視により確認しやすくなるとともに、排紙収容部３からの取出しがし易くなる。また、延長部２を原稿トレイ１から引き出さないので、エンドフェンス４が排紙収容部３側に位置することが無く、用紙５の状態を目視により確認することや用紙５を排紙収容部３から取り出す際の妨げとなることが無く、用紙５の確認や取り出しを容易に行える。
（第２の実施形態）
本形態では、図４（ａ）、図４（ｂ）に示すように、原稿トレイ１における用紙搬送方向の上流側に位置する端部１Ａ側に、延長部２０を配置するとともに、延長部２０を端部１Ａから長短方向Ａに進退可能に支持している。延長部２０は原稿トレイ１の幅方向Ｂの中央部１ｂに配置している。具体的には、原稿トレイ１の中央部１ｂには、延長部２０を収納するための窪み部２１が端部１Ａまで達するように形成されている。窪み部２１の幅方向Ｂに位置し、互いに対向する側面２１Ａ、２１Ｂには、長短方向Ａに延びる長穴２２Ａ、２２Ｂがそれぞれ形成されている。本形態において窪み部２１は、原稿トレイ１を矢印Ｃで示す上下方向には貫通せず、底部２１Ｃを有するように形成されている。
【００２０】
延長部２０の幅方向Ｂに位置する側面２０Ａ、２０Ｂには、長穴２２Ａ、２２Ｂに挿入される軸２３Ａ、２３Ｂが突出していて、この軸２３Ａ、２３Ｂを長穴２２Ａ、２２Ｂに挿入することで、延長部２０が長短方向Ａにスライド自在とされている。延長部２０には、図５に示すように、その上面２０Ｄ側に開口する空間２４が形成されている。空間２４の容積は、紙揃え部材としてのエンドフェンス４０が収納可能な大きさとされている。また、空間２４は延長部２０の下面２０Ｃまでは達しておらず、空間２４内に収納されたエンドフェンス４０を下方から支えるように構成している。すなわち、延長部２０は図４（ａ）に示す原稿トレイ１に収納された収納位置と、図４（ｂ）に示す原稿トレイ１から突出した延長位置を占めるように、原稿トレイ１にスライド自在に設けられている。
【００２１】
本形態において、原稿トレイ１の全長を延ばす方向となる引出方向Ａ１への延長部２０の長さＬＡは、延長部２０を最大長延ばしたときに、装置で使用する所定サイズの用紙５が載せられる長さとしている。本形態において所定サイズとはＪＩＳ規格Ａ３サイズを縦長でセットしたときのサイズを想定している。窪み部２１の長短方向Ａへの長さＬＡ１は、延長部２０の長さＬＡよりも長く形成されている。
【００２２】
エンドフェンス４０は板状部材であって、幅方向Ｂの長さは延長部２０の幅方向Ｂへの長さよりも狭く、長短方向Ａへの長さＬＡ２は延長部２０の長さＬＡよりも長く、窪み部２１の長さＬＡ１とほぼ同寸法に形成されている。つまり、エンドフェンス４０の大きさは、延長部２０の空間２４から突出する大きさとされているが、原稿トレイ１の窪み部２１内に収納される大きさの範囲に形成されている。エンドフェンス４０の一端４０Ａ側は、引出方向Ａ１側に位置する延長部２０の一端２０Ｅに、ピン１５で回転自在に支持されていて、延長部２０が原稿トレイ１の窪み部２１内に収納された状態では延長部２０の空間２４内に位置し、延長部２０を窪み部２１から引出方向Ａ１に移動したときには、空間２４から突出して、一端４０Ａ側と反対側に位置する他端４０Ｂ側が排紙収容部３側に位置するように構成されている。
【００２３】
すなわち、エンドフェンス４０は、排紙収容部３側に突出して同排紙収容部３に排紙された用紙５の端部５ａと接触する第１の位置と、排紙収容部３側から離脱する第２の位置を占めるように延長部２０に移動自在に設けられていて、延長部２０に、同延長部２０の上部から収容可能に支持されており、延長部２０を引き出さなくても原稿トレイ１の上部から目視できる構成とされている。つまり、エンドフェンス４０は、延長部２０が図４（ｂ）に示す延長位置を占めたときには第１の位置を占め、延長部２０が図４（ａ）に示す収納位置を占めたときには第２の位置を占めるように延長部２０に支持されている。
【００２４】
このような構成の第２の実施形態によると、原稿トレイ１に載せる用紙５のサイズが所定サイズの場合には、延長部２０を引出方向Ａ１にスライドする。すると、原稿トレイ１のテーブル面１ａの一部が延長部２０の上面２０Ｄによって引出方向Ａ１に延長されるので、所定サイズの用紙５を原稿トレイ１のテーブル面１ａに積載してセットすることができる。また、延長部２０をスライドさせた状態で、図６に示すように、エンドフェンス４０の他端４０Ｂが排紙収容部３側に位置するように、エンドフェンス４０を時計回り方向にピン１５を中心にして揺動回転させて排紙収容部３側に引き出すことで、排紙収容部３側に位置する第１の位置を占める。このため所定サイズの用紙５が排紙収容部３に順次排紙されて、排紙収納部３の用紙５が、排紙される次の用紙５によって押されて引出方向Ａ１に移動してもエンドフェンス４０に接触して、その移動が妨げられる。よって、用紙５が排紙収容部３から落下することや落下による不揃えを防止することができる。
【００２５】
一方、原稿トレイ１に載せる用紙５のサイズが所定サイズより小さい場合、例えば所定サイズ（Ａ３）の半分のサイズのＪＩＳ規格Ａ４を横長に載せる場合には、延長部２０を引出方向Ａ１にスライドしないので、延長部２０は原稿トレイ１を収納された第２の位置を占めた状態のままである。あるいは、延長部２０が図６に示す第１の位置を占めている場合には、エンドフェンス４０をもって反時計回りに揺動して、図４（ｂ）に示すように延長部２０内に納める。そして、延長部２０を図４（ａ）に示すように原稿トレイ１側に押し戻して原稿トレイ１内に収納されることで、第２の位置を占めることになる。
【００２６】
このため、原稿トレイ１のテーブル面１ａが延長部２０によって延びることはなく、テーブル面１ａの大きさはＡ４横長サイズ分の大きさで済むので、原稿トレイ１の大きさを抑えられ、排紙収容部３に順次排紙されて積載される用紙５の状態を目視により確認しやすくなるとともに、排紙収容部３からの取出しがし易くなる。また、延長部２０を引き出さないので、エンドフェンス４０が排紙収容部３側に位置することが無く、用紙５の状態を目視により確認することや用紙５を排紙収容部３から取り出す際の妨げとなることが無く、用紙５の確認や取り出しを容易に行える。エンドフェンス４０は、延長部２０の上部から収容されるため、延長部２０の長さＬＡより長い構成とすることが可能となり、第１の実施形態に比べてエンドフェンス４０の全長の設定に幅を持たせることができる。
（第３の実施形態）
本形態では、図７（ａ）、図７（ｂ）に示すように、原稿トレイ１における用紙搬送方向の上流側に位置する端部１Ａ側に、延長部１２０を配置するとともに、延長部１２０を端部１Ａから長短方向Ａに進退可能に支持している。延長部１２０は原稿トレイ１の幅方向Ｂの中央部１ｂに配置している。具体的には、原稿トレイ１の中央部１ｂには、延長部１２０を収納するための窪み部３１が端部１Ａまで達するように形成されている。窪み部３１の幅方向Ｂに位置し、互いに対向する側面３１Ａ、３１Ｂには、長短方向Ａに延びる長穴３２Ａ、３２Ｂがそれぞれ形成されている。本形態において窪み部３１は、原稿トレイ１を矢印Ｃで示す上下方向には貫通せず、第１の実施形態の窪み部１１同様、底部３１Ｃを有するように形成されている。
【００２７】
延長部１２０の幅方向Ｂに位置する側面１２０Ａ、１２０Ｂには、長穴３２Ａ、３２Ｂに挿入される軸３３Ａ、３３Ｂが突出していて、この軸３３Ａ、３３Ｂを長穴３２Ａ、３２Ｂに挿入することで、延長部１２０が長短方向Ａにスライド自在とされている。側面１２０Ａ、１２０Ｂには、長短方向Ａに延びる長穴３６Ａ、３６Ｂが原稿トレイ１の全長を延ばす方向となる引出方向Ａ１側に位置する一端１２０Ｅ側に形成されている。延長部１２０には、図８に示すように、その下面１２０Ｃ側に開口する空間３４が形成されている。空間３４の容積は、紙揃え部材としてのエンドフェンス１４０が収納可能な大きさとされている。また、空間３４は延長部１２０の上面１２０Ｄまでは達しておらず、空間３４内に収納されたエンドフェンス１４０を、上面１２０Ｄをテーブル面１ａの延長した面として使用できように構成している。すなわち、延長部１２０は図７（ａ）に示す原稿トレイ１に収納された収納位置と、図７（ｂ）に示す原稿トレイ１から突出した延長位置を占めるように、原稿トレイ１にスライド自在に設けられている。
【００２８】
本形態において、延長部１２０の引出方向Ａ１への長さＬＢは、延長部１２０を最大長、原稿トレイ１から延ばしたときに、装置で使用する所定サイズの用紙５が載せられる長さとしている。本形態において所定サイズとはＪＩＳ規格Ａ３サイズを縦長でセットしたときのサイズを想定している。窪み部３１の長短方向Ａへの長さＬＢ１は、延長部１２０の長さＬＢと同一寸法に形成されている。
【００２９】
エンドフェンス１４０は断面形状がくの字型をした板状部材であって、幅方向Ｂの長さは延長部１２０の幅方向Ｂへの長さよりも狭く、長短方向Ａへの長さＬＢ２は延長部１２０の長さＬＢよりも短く形成されている。つまり、エンドフェンス１４０の大きさは、空間３４に収納可能な大きさとされている。
【００３０】
本形態において、エンドフェンス１４０はリンク機構によって延長部１２０に揺動自在に装着されている。具体的には、エンドフェンス１４０の一端１４０Ａ側は、延長部１２０の側面１２０Ａ、１２０Ｂに形成した長穴３６Ａ、３６Ｂに挿入されるピン３５によって延長部１２０に回転自在に支持されている。エンドフェンス１４０の中央部１４０Ｃは、一端３７Ａが延長部１２０の空間３４の内にピンで揺動自在に支持されたリンクレバー３７の他端３７Ｂがピン結合されている。
【００３１】
エンドフェンス１４０は、このようなリンク機構によって、延長部１２０が原稿トレイ１の窪み部３１内に収納された状態では延長部１２０の空間３４内に位置し、延長部１２０を窪み部３１から引出方向Ａ１に移動したときには、空間３４から突出して、一端１４０Ａ側と反対側に位置する他端１４０Ｂ側が排紙収容部３側に位置するように揺動自在に装着されている。また、エンドフェンス１４０は延長部１２０を原稿トレイ１に収容するときに、延長部１２０を原稿トレイ１側に押し戻すと、エンドフェンス１４０がリンク部材３７を介して延長部１２０に接続されているため、リンク部材３７が窪み部３１の底部３１Ｃによって押し挙げられることで、延長部１２０に収容される構成とさされている。
【００３２】
すなわち、エンドフェンス１４０は、排紙収容部３側に突出して同排紙収容部３に排紙された用紙５の端部５ａと接触する第１の位置と、排紙収容部３側から離脱する第２の位置を占めるように延長部１２０に移動自在に設けられていて、延長部１２０に、同延長部１２０の下部から収容可能に支持されている。つまり、エンドフェンス１４０は、延長１２０が図７（ｂ）に示す延長位置を占めたときには第１の位置を占め、延長部１２０が図７（ａ）に示す収納位置を占めたときには第２の位置を占めるように延長部１２０に支持されている。
【００３３】
このような構成の第３の実施形態における動作について図９を用いて説明する。原稿トレイ１に載せる用紙５のサイズが所定サイズの場合には、図９（ａ）に示す収納状態から図９（ｂ）を介して図９（ｃ）に示すように、延長部１２０を引出方向Ａ１にスライドする。すると、原稿トレイ１のテーブル面１ａの一部が延長部１２０の上面１２０Ｄによって引出方向Ａ１に延長されるので、所定サイズの原稿トレイ１のテーブル面１ａに積載してセットすることができる。また、延長部１２０を引出方向Ａ１にスライドすると、延長部１２０の長さＬＢよりも長さＬＢ２が短く設定されたエンドフェンス１４０の他端１４０Ｂが原稿トレイ１の端部１Ａを通過すると、エンドフェンス１４０がピン３５を中心にして排紙収容部３の上部に引き出され、他端１４０Ｂが下方に来るように自重で揺動して排紙収容部３側に位置する第１の位置を占める。このため所定サイズの用紙５が排紙収容部３に順次排紙されて、排紙収納部３の用紙５が、排紙される次の用紙５によって押されて引出方向Ａ１に移動してもエンドフェンス１４０に接触して、その移動が妨げられる。よって、用紙５が排紙収容部３から落下することや落下による不揃えを防止することができる。
【００３４】
一方、原稿トレイ１に載せる用紙５のサイズが所定サイズより小さい場合、例えば所定サイズ（Ａ３）の半分のサイズのＪＩＳ規格Ａ４を横長に載せる場合には、延長部１２０を引出方向Ａ１にスライドしない。あるいは、延長部１２０が図９（ｃ）に示す第１の位置を占めている場合には、延長部１２０を図９（ｂ）に示すように原稿トレイ１側に押し戻す。すると、延長部１２０とエンドフェンス１４０に両端がピン結合されたリンク部材３７が窪み部３１の底部３１Ｃによって押し挙げられ、図９（ａ）に示すように延長部１２０に収容された第２の位置を占めることになる。
【００３５】
このため、原稿トレイ１のテーブル面１ａが延長部１２０によって延びることはなく、テーブル面１ａの大きさはＡ４横長サイズ分の大きさで済むので、原稿トレイ１の大きさを抑えられ、排紙収容部３に順次排紙されて積載される用紙５の状態を目視により確認しやすくなるとともに、排紙収容部３からの取出性がし易くなる。また、延長部１２０を引き出さないので、エンドフェンス１４０が排紙収容部３側に位置することが無く、用紙５の状態を目視により確認することや用紙５を排紙収容部３から取り出す際の妨げとなることが無く、用紙５の確認や取り出しが容易に行える。
【符号の説明】
【００３６】
１            原稿載置台（原稿トレイ）
２、２０、１２０  延長部
２ｃ、２０ｃ、１２０ｃ  延長部の下部
２ｄ、２０ｄ、１２０ｄ  延長部の上部
３                排紙収容部
４、４０、１４０  紙揃え部材（エンドフェンス）
５            用紙
５ａ          用紙の端部
５０          自動用紙送り装置
１００        画像読取装置
ａ            搬送方向
Ａ１          原稿載置台（原稿トレイ）の全長を延ばす方向
Ｌ、ＬＡ、ＬＢ  延長部の長さ
Ｌ２、ＬＡ２、ＬＢ２  紙揃え部材（エンドフェンス）の長さ
【先行技術文献】
【特許文献】
【００３７】
【特許文献１】特開２０００−１３６０６０号公報
【特許文献２】特開２０１０−１２６３５５号公報
【図１】
2013014427.tif 000003
【図２】
2013014427.tif 000004
【図３】
2013014427.tif 000005
【図４】
2013014427.tif 000006
【図５】
2013014427.tif 000007
【図６】
2013014427.tif 000008
【図７】
2013014427.tif 000009
【図８】
2013014427.tif 000010
【図９】
2013014427.tif 000011